(57)【要約】      （修正有）【課題】収納や持ち運びが容易なポータブル紫外線殺菌装置を提供する。【解決手段】変形可能な特性をもつ容器と、容器の頂部にある開口部１２と、を有し、開口部の内縁に複数の嵌合突条部１３が設けられ、開口部の外縁に対向に配置されたフック及び弾性嵌め環が設けられ、弾性嵌め環は容器が巻き取られた後、全体を縛り付けると共にフックに掛け止められる巻き取り可能な容器１と、開口部に着脱可能に取り付けられ、底部に各嵌合突条部に対応して嵌設する複数の嵌合溝部２５が設けられる蓋体２と、蓋体内に固定され、蓋体の底部から照射する紫外線ランプ３１を含む紫外線アセンブリ３と、を備える。蓋体は、下蓋２１と、下蓋に設けられた上蓋２２と、を含み、下蓋の中心に照射孔２１１が穿設され、紫外線ランプは、照射孔から照射される。【選択図】図４
0003231661.tif 000002
【実用新案登録請求の範囲】
【請求項１】
収容室と、前記収容室の頂部にある開口部と、を有する巻き取り可能な容器と、
前記開口部に着脱可能に取り付けられた蓋体と、
前記蓋体内に固定され、前記蓋体の底部から照射する紫外線ランプを含む紫外線アセンブリと、
を備える、ポータブル紫外線殺菌装置。
【請求項２】
前記蓋体は、下蓋と、前記下蓋に設けられた上蓋と、を含む、請求項１に記載のポータブル紫外線殺菌装置。
【請求項３】
前記下蓋の中心に照射孔が穿設され、前記紫外線ランプは、前記照射孔から照射する、請求項２に記載のポータブル紫外線殺菌装置。
【請求項４】
前記紫外線アセンブリは、電源モジュールをさらに含み、前記電源モジュールが回路基板と、前記回路基板に設けられた充電式電池と、を含み、前記回路基板が前記下蓋に固定される、請求項２に記載のポータブル紫外線殺菌装置。
【請求項５】
前記上蓋の側縁に前記電源モジュールと電気的に接続されるスイッチが設けられる、請求項４に記載のポータブル紫外線殺菌装置。
【請求項６】
前記下蓋の側縁に前記電源モジュールと電気的に接続される充電口が設けられる、請求項４に記載のポータブル紫外線殺菌装置。
【請求項７】
前記巻き取り可能な容器の前記開口部の内縁に複数の嵌合突条部が設けられ、前記蓋体の底部には各前記嵌合突条部に対応して嵌設する複数の嵌合溝部が設けられる、請求項１に記載のポータブル紫外線殺菌装置。
【請求項８】
前記巻き取り可能な容器の前記開口部の外縁に対向に配置されたフック及び弾性嵌め環がさらに設けられ、前記弾性嵌め環は前記巻き取り可能な容器が巻き取られた後、全体を縛り付けると共に前記フックに掛け止める、請求項７に記載のポータブル紫外線殺菌装置。
【請求項９】
前記巻き取り可能な容器は、銀イオンを混合したシリコーンゴムで構成される、請求項１に記載のポータブル紫外線殺菌装置。
【考案の詳細な説明】
【技術分野】
【０００１】
本考案は、紫外線殺菌装置に関し、特に、ポータブル紫外線殺菌装置に関する。
【背景技術】
【０００２】
野外活動では、色々な物と接触することが多いため、身の回りにウイルスや細菌が付着するおそれがあり、したがって、消毒や滅菌しなければ、接触感染が生じ、人体に感染や病気を引き起こす可能性がある。公衆衛生意識の高まりと各種インフルエンザの流行により、随時消毒とマスク着用が当たり前となり、使用者がいつでもすばやく消毒できる紫外線殺菌装置が数多く市場に出回っている。
【０００３】
一般的な紫外線殺菌装置は、露出した紫外線ランプを介して直接照射・殺菌するが、操作に注意を怠ると人体に照射し、人体に危害を及ぼすおそれがあるため、容器を備えた紫外線殺菌装置が開発され、容器内に物体を入れて密閉式殺菌を実施することで、人体への紫外線の照射を防ぐことができる。ただし、このタイプの紫外線殺菌装置は、容器構造が追加されているため、体積が比較的大きく、収納や持ち運びの際に使用者に多大な不便が強いられている。
【０００４】
これに鑑み、本考案者は、上記の従来技術の欠陥に対し、鋭意研究を重ねると共に学理の運用を組み合わせ、上記問題点を解決することに努めた結果、本考案者の改良の目標となった。
【考案の概要】
【考案が解決しようとする課題】
【０００５】
本考案の主な目的は、紫外線殺菌装置の収納や持ち運びを容易にさせることである。
【課題を解決するための手段】
【０００６】
上記目的を達成するため、本考案は、巻き取り可能な容器と、蓋体と、紫外線アセンブリと、を備えるポータブル紫外線殺菌装置を提供する。巻き取り可能な容器は、収容室と、収容室の頂部にある開口部と、を有し、蓋体は開口部に着脱可能に取り付けられ、紫外線アセンブリは蓋体内に固定され、蓋体の底部から照射する紫外線ランプを含む。
【考案の効果】
【０００７】
本考案は、以下の効果を有する。
収容室の内部に紫外線ランプを照射することにより、収容室内に収容された被殺菌体を殺菌することができる。銀イオンを混合したシリコーンゴムで構成された巻き取り可能な容器を通じて、一定の抗菌効果を奏することができる。スイッチを押すことによって紫外線ランプの作動及び停止を制御でき、また充電ケーブルを充電口に差し込むことで充電式電池を充電できる。各嵌合突条部と嵌設された各嵌合溝部を通じて、蓋体を巻き取り可能な容器に取付けることができる。弾性嵌め環で巻き取られた後の巻き取り可能な容器全体を縛り付けると共にフックに掛け止めると、巻き取り可能な容器を折りたたんだ状態で固定できる。
【図面の簡単な説明】
【０００８】
【図１】本考案の立体分解図である。
【図２】本考案の別の視点から見た立体分解図である。
【図３】本考案の立体外観図である。
【図４】本考案の使用状態の断面図である。
【図５】本考案の巻き取られた後の立体外観図である。
【考案を実施するための形態】
【０００９】
以下、本考案の詳細な説明及び技術内容は、図面を参照しつつ説明するが、添付図面は例示のみを目的としており、本考案を限定することを意図するものではない。
【００１０】
図１乃至図３を参照すると、本考案によって提供されるポータブル紫外線殺菌装置は、巻き取り可能な容器１と、蓋体２と、紫外線アセンブリ３と、を含む。
【００１１】
巻き取り可能な容器１は、シリコーンゴムで構成され、収容室１１と、収容室１１の頂部にある開口部１２と、を有し、収容室１１が被殺菌体Ａを置くために用いられ、被殺菌体Ａが収容室１１内に収容できる任意の物体であり、シリコーンゴムの柔らかくて変形可能な特性によって、使用者が使用しない時、容器を巻き取って体積を縮小させることで収納及び持ち運びに便利な効果を奏することができる。蓋体２は、開口部１２に着脱可能に取り付けられ、紫外線アセンブリ３は蓋体２内に固定され、蓋体２の底部から照射する紫外線ランプ３１を含む。図４を参照すると、紫外線ランプ３１が収容室１１の内部を照射することにより、収容室１１内に置いた被殺菌体Ａを殺菌することができる。
【００１２】
注目すべき点は、紫外線殺菌は、波長が１００〜２８０ｎｍの短波長の紫外線（ＵＶＣ）により、照射範囲内に一定の強度及び時間で照射すると、ＵＶＣが持つ高エネルギーを介して細菌、カビ又はウイルスの構造を破壊し、それを死なせ、あるいは増殖できずに殺菌の効果を奏する。
【００１３】
巻き取り可能な容器１は、銀イオンを混合したシリコーンゴムで構成されることができるため、より優れた抗菌の効果を奏することができる。
【００１４】
具体的には、蓋体２は、下蓋２１と、下蓋２１に設けられた上蓋２２と、を含み、下蓋２１が開口部１２に設けられ、下蓋２１の中心に照射孔２１１が穿設され、紫外線ランプ３１が照射孔２１１から照射し、かつ紫外線アセンブリ３は電源モジュール３２を含み、電源モジュール３２が回路基板３２１と、回路基板３２１に設けられた充電式電池３２２と、を含み、回路基板３２１が下蓋２１に固定され、充電式電池３２２が紫外線ランプ３１に電力を供給して作動させることに用いられる。
【００１５】
上蓋２２の側縁にスイッチ２３が設けられ、下蓋２１の側縁に充電口２４が設けられ、スイッチ２３及び充電口２４は、共に電源モジュール３２と電気的に接続されることによって、スイッチ２３を押すことで紫外線ランプ３１の作動及び停止を制御でき、また充電口２４に充電ケーブル（図示せず）を接続することによって充電式電池３２２を充電する。
【００１６】
具体的には、巻き取り可能な容器１の開口部１２の内縁に複数の嵌合突条部１３が設けられ、蓋体２の底部に各嵌合突条部１３に対応して嵌設する複数の嵌合溝部２５が設けられ、よって、蓋体２を巻き取り可能な容器１に取付けることができる。図５を参照すると、巻き取り可能な容器１の開口部１２の外縁に対向に配置されたフック１４及び弾性嵌め環１５がさらに設けられ、使用者が巻き取り可能な容器１を上向きに巻き取られて折り畳まれる時、弾性嵌め環１５が巻き取られた後の巻き取り可能な容器１を縛り付け、フック１４に掛け止めることによって、巻き取り可能な容器１を折りたたんだ状態で固定でき、体積を縮小させて収納及び持ち運びを容易にする効果を奏する。
【００１７】
下蓋２１に複数のネジ孔２１２が設けられ、回路基板３２１に各ネジ孔２１２を連通する複数の固定孔３２１１が設けられ、各固定孔３２１１は、それぞれ螺合素子Ｂで電源モジュール３２を下蓋２１に固定するために用いられる。上蓋２２の底部に複数のネジ孔２２１が設けられ、回路基板３２１に各ネジ孔２２１を連通する複数の貫通孔３２１２が設けられ、下蓋２１の底部に各貫通孔３２１２を連通する複数のザグリ孔２１３が設けられ、各ザグリ孔２１３は、それぞれ螺合素子Ｂをザグリ孔２１３、貫通孔３２１２及びネジ孔２２１の順に挿通して下蓋２１と上蓋２２を締め付けるために用いられる。
【００１８】
上記をまとめると、本考案は、産業上の利用可能性、新規性及び進歩性を有し、特許出願要件を完全に満たすので、特許法に基づいて出願する。本考案が他の様々な実施例を有することもでき、本考案の精神及びその本質から逸脱しない限り、当業者は本考案に対して様々な改良変更をなし得ることは勿論である。ただし、かかる改良変更及び変形は本考案の保護範囲に含まれる。
【符号の説明】
【００１９】
１  巻き取り可能な容器
１１  収容室
１２  開口部
１３  嵌合突条部
１４  フック
１５  弾性嵌め環
２  蓋体
２１  下蓋
２１１  照射孔
２１２  ネジ孔
２１３  ザグリ孔
２２  上蓋
２２１  ネジ孔
２３  スイッチ
２４  充電口
２５  嵌合溝部
３  紫外線アセンブリ
３１  紫外線ランプ
３２  電源モジュール
３２１  回路基板
３２１１  固定孔
３２１２  貫通孔
３２２  充電式電池
Ａ  被殺菌体
Ｂ  螺合素子
【図１】
0003231661.tif 000003
【図２】
0003231661.tif 000004
【図３】
0003231661.tif 000005
【図４】
0003231661.tif 000006
【図５】
0003231661.tif 000007
【手続補正書】
【提出日】令和3年2月10日(2021.2.10)
【手続補正１】
【補正対象書類名】実用新案登録請求の範囲
【補正対象項目名】全文
【補正方法】変更
【補正の内容】
【実用新案登録請求の範囲】
【請求項１】
変形可能な特性をもつ容器と、前記容器の頂部にある開口部と、を有し、前記開口部の内縁に複数の嵌合突条部が設けられ、前記開口部の外縁に対向に配置されたフック及び弾性嵌め環が設けられ、前記弾性嵌め環は前記容器が巻き取られた後、全体を縛り付けると共に前記フックに掛け止められる巻き取り可能な容器と、
前記開口部に着脱可能に取り付けられ、底部に各前記嵌合突条部に対応して嵌設する複数の嵌合溝部が設けられる蓋体と、
前記蓋体内に固定され、前記蓋体の底部から照射する紫外線ランプを含む紫外線アセンブリと、
を備える、ポータブル紫外線殺菌装置。
【請求項２】
前記蓋体は、下蓋と、前記下蓋に設けられた上蓋と、を含む、請求項１に記載のポータブル紫外線殺菌装置。
【請求項３】
前記下蓋の中心に照射孔が穿設され、前記紫外線ランプは、前記照射孔から照射する、請求項２に記載のポータブル紫外線殺菌装置。
【請求項４】
前記紫外線アセンブリは、電源モジュールをさらに含み、前記電源モジュールが回路基板と、前記回路基板に設けられた充電式電池と、を含み、前記回路基板が前記下蓋に固定される、請求項２に記載のポータブル紫外線殺菌装置。
【請求項５】
前記上蓋の側縁に前記電源モジュールと電気的に接続されるスイッチが設けられる、請求項４に記載のポータブル紫外線殺菌装置。
【請求項６】
前記下蓋の側縁に前記電源モジュールと電気的に接続される充電口が設けられる、請求項４に記載のポータブル紫外線殺菌装置。
【請求項７】
前記容器は、銀イオンを混合したシリコーンゴムで構成される、請求項１に記載のポータブル紫外線殺菌装置。
【手続補正２】
【補正対象書類名】明細書
【補正対象項目名】０００６
【補正方法】変更
【補正の内容】
【０００６】
上記目的を達成するため、本考案は、巻き取り可能な容器と、蓋体と、紫外線アセンブリと、を備えるポータブル紫外線殺菌装置を提供する。巻き取り可能な容器は、変形可能な特性をもつ容器と、容器の頂部にある開口部と、を有し、開口部の内縁に複数の嵌合突条部が設けられ、開口部の外縁に対向に配置されたフック及び弾性嵌め環が設けられ、弾性嵌め環は容器が巻き取られた後、全体を縛り付けると共にフックに掛け止められる。蓋体は開口部に着脱可能に取り付けられ、底部に各嵌合突条部に対応して嵌設する複数の嵌合溝部が設けられる。紫外線アセンブリは蓋体内に固定され、蓋体の底部から照射する紫外線ランプを含む。